(57)【要約】【課題】熟睡中のいびきの発生を記録し、ユーザに自身の睡眠習慣を理解させると同時に、病状を判断する際の参考にすることができ、生理的健康を守ることができる睡眠記録装置を提供する。【解決手段】論理電子回路を備える睡眠記録装置は、中空の筐体２０内に睡眠期間におけるいびきデータを記録する。論理電子回路３０は、電力供給ユニット３１、検出ユニット３２、処理ユニット３３、入力ユニット３６、記録ユニット３４及び表示ユニット３５を有する。電力供給ユニット３１は、論理電子回路３０が必要とする電力を供給する。検出ユニット３２は、睡眠期間におけるいびき音を検出する上、信号を出力する。処理ユニット３３は、信号の送受信及び増幅を行う上、論理に基づき、所定周期におけるいびき音の回数を演算する。入力ユニット３６は、演算を行う周期の長さと、いびき音を計測する回数と、処理ユニット３３の初期設定値の変更とを決定する。【選択図】図１
2013255667.tif 000002
【特許請求の範囲】
【請求項１】
中空の筐体内に睡眠期間におけるいびきデータを記録する論理電子回路を備える睡眠記録装置であって、
前記論理電子回路は、電力供給ユニット、検出ユニット、処理ユニット、入力ユニット、記録ユニット及び表示ユニットを有し、
前記電力供給ユニットは、前記論理電子回路が必要とする電力を供給し、
前記検出ユニットは、前記睡眠期間におけるいびき音を検出する上、信号を出力し、
前記処理ユニットは、前記信号の送受信及び増幅を行う上、論理に基づき、所定周期におけるいびき音の回数を演算し、
前記入力ユニットは、演算を行う周期の長さと、いびき音を計測する回数と、前記処理ユニットの初期設定値の変更と、を決定し、
前記記録ユニットは、前記周期の時間及び前記いびき音の回数のデータを更新し、
前記表示ユニットは、前記記録ユニットの時間及び回数に関する結果を表示することを特徴とする睡眠記録装置。
【請求項２】
前記入力ユニットは、前記筐体から一部が露出する１つ以上の押圧ボタンであることを特徴とする請求項１に記載の睡眠記録装置。
【請求項３】
前記電力供給ユニットは、電池であることを特徴とする請求項２に記載の睡眠記録装置。
【請求項４】
前記電力供給ユニットは、外部電源の電線であることを特徴とする請求項２に記載の睡眠記録装置。
【請求項５】
前記電線は、前記睡眠記録装置に必要な電力を供給するいびき防止機構と接続されることを特徴とする請求項４に記載の睡眠記録装置。
【請求項６】
前記いびき防止機構は、いびき音を検出する音声センサを有し、前記音声センサは、前記睡眠記録装置のセンサユニットとして使用されることを特徴とする請求項５に記載の睡眠記録装置。
【発明の詳細な説明】
【技術分野】
【０００１】
本発明は、睡眠状況を記録する技術に関し、特に、睡眠記録装置に関する。
【背景技術】
【０００２】
睡眠は、疲労を回復させるための最も好適な方法であるが、睡眠中に発生するいびきにより、健康を害する虞がある。いびきが発生する状態は、異常な状態である。いびきは、咽喉部分が閉塞する病気の特徴であり、睡眠時無呼吸症候群の特徴の１つである。
【０００３】
いびきの原因は、主に、上気道の口蓋垂、軟口蓋、扁桃腺の前後口蓋弓、舌根などの柔軟部が呼吸に伴って振動することによって発生する。詳細な過程は、特許文献１及び特許文献２に記載されている。
【０００４】
いびきの発生を低減するには、医療行為又は物理的構造を利用することができる。
【０００５】
医療行為の場合、患者の病状に応じて適切な薬剤を処方しなければならない。また、病状を判断する際、高精度の医療設備が用いられ、人体の生理信号が検出される。特に、脳波を長期検出することにより、病状が判断される。人体の生理信号を検出する技術に関しては、特許文献３〜特許文献６が開示されている。しかし、如何に高度な科学技術製品でも、患者の協力がなければ、効果を発揮できない。
【０００６】
物理的構造とは、一般に、いびき防止機構を指す。いびき防止機構の原理は、主に、所定の睡眠周期中、音声センサによっていびき音の回数を測定し、いびき音が所定の回数に到達すると、枕が水平又は垂直方向に変位し、ユーザの頭部を仰臥位から側臥位に変更するものである。これにより、ユーザの気道が確保され、いびきの発生が防止される。また、いびきを防止する技術に関しては、特許文献７〜特許文献１０が開示されている。
【０００７】
さらに、いびきを防止する技術に注力している本発明の発明者により、特許文献１１〜特許文献１５の技術が開示されている。
【０００８】
しかし、ユーザは、熟睡中、自分がいびきを発生させていることを認識できないため、上述の従来のいびき防止機構の効果に対し、懐疑的である。そこで、ユーザに自身の睡眠習慣を理解させる手助けを行うために、本発明が案出された。
【先行技術文献】
【特許文献】
【０００９】
【特許文献１】台湾特許第５７２７５４号
【特許文献２】台湾実用新案登録第２４９６３２号
【特許文献３】台湾特許出願公開第２００９０６３６６号
【特許文献４】台湾特許出願公開第２０１０１８５０２号
【特許文献５】台湾特許出願公開第２０１０２１７６６号
【特許文献６】台湾特許出願公開第２０１１１６２５５号
【特許文献７】台湾実用新案登録第３９８２６１号
【特許文献８】台湾特許第３２５３０６号
【特許文献９】台湾実用新案登録第４０１３９４号
【特許文献１０】台湾実用新案登録第４０１３９５号
【特許文献１１】台湾実用新案登録第３２９４３１号
【特許文献１２】台湾実用新案登録第３３１９５６号
【特許文献１３】台湾実用新案登録第３３２４７５号
【特許文献１４】台湾実用新案登録第３４９７６２号
【特許文献１５】台湾実用新案登録第３５７２６２号
【発明の概要】
【発明が解決しようとする課題】
【００１０】
本発明の主な目的は、熟睡中のいびきの発生を記録し、ユーザに自身の睡眠習慣を理解させると同時に、病状を判断する際の参考にすることができ、生理的健康を守ることができる睡眠記録装置を提供することにある。
本発明のもう一つの目的は、いびきが発生することによっていびき防止機構が起動し、寝相を変更して気道を確保することにより、いびきの発生を防止することができる睡眠記録装置を提供することにある。
【課題を解決するための手段】
【００１１】
上記課題を解決するために、本発明の第１の形態によれば、中空の筐体内に睡眠期間におけるいびきデータを記録する論理電子回路を備える睡眠記録装置であって、前記論理電子回路は、電力供給ユニット、検出ユニット、処理ユニット、入力ユニット、記録ユニット及び表示ユニットを有し、前記電力供給ユニットは、前記論理電子回路が必要とする電力を供給し、前記検出ユニットは、前記睡眠期間におけるいびき音を検出する上、信号を出力し、前記処理ユニットは、前記信号の送受信及び増幅を行う上、論理に基づき、所定周期におけるいびき音の回数を演算し、前記入力ユニットは、演算を行う周期の長さと、いびき音を計測する回数と、前記処理ユニットの初期設定値の変更と、を決定し、前記記録ユニットは、前記周期の時間及び前記いびき音の回数のデータを更新し、前記表示ユニットは、前記記録ユニットの時間及び回数に関する結果を表示することを特徴とする睡眠記録装置が提供される。
【００１２】
前記入力ユニットは、前記筐体から一部が露出する１つ以上の押圧ボタンであることが好ましい。
【００１３】
前記電力供給ユニットは、電池であることが好ましい。
【００１４】
前記電力供給ユニットは、外部電源の電線であることが好ましい。
【００１５】
前記電線は、前記睡眠記録装置に必要な電力を供給するいびき防止機構と接続されることが好ましい。
【００１６】
前記いびき防止機構は、いびき音を検出する音声センサを有し、前記音声センサは、前記睡眠記録装置のセンサユニットとして使用されることが好ましい。
【図面の簡単な説明】
【００１７】
【図１】本発明の一実施形態による睡眠記録装置を示す斜視図である。
【図２】本発明の一実施形態による睡眠記録装置のいびき検出ステップを示す流れ図である。
【図３】本発明の一実施形態による睡眠記録装置といびき防止機構との接続関係を示す分解斜視図である。
【図４】本発明の一実施形態による睡眠記録装置といびき防止機構との接続関係を示す斜視図である。
【発明を実施するための形態】
【００１８】
以下、本発明の睡眠記録装置の実施形態について、図面を参照しながら説明する。
【００１９】
本発明は、睡眠記録装置を提供するものである。本発明の一実施形態による睡眠記録装置は、中空の筐体内に睡眠期間におけるいびきデータを記録する論理電子回路が配置される。論理電子回路は、電力供給ユニット、検出ユニット、処理ユニット、入力ユニット、記録ユニット及び表示ユニットを含む。電力供給ユニットは、論理電子回路が必要とする電力を供給する。検出ユニットは、睡眠期間におけるいびき音を検出する上、信号を出力する。処理ユニットは、信号の送受信及び増幅を行う上、論理に基づき、所定周期におけるいびき音の回数を演算する。入力ユニットは、演算を行う周期の長さと、いびき音を計測する回数と、処理ユニットの初期設定値の変更と、を決定する。記録ユニットは、周期の時間及びいびき音の回数のデータを更新する。表示ユニットは、記録ユニットの時間及び回数に関する結果を表示する。ここで、一般に、入力ユニットは、筐体から一部が露出した押圧ボタンのことを指す。
【００２０】
睡眠記録装置は、使用状態に応じ、基本型睡眠記録装置と応用型睡眠記録装置との２種に分類される。
【００２１】
基本型睡眠記録装置は、睡眠期間において単独で使用され、自身の電力供給ユニット及び検出ユニットを有する。基本型睡眠記録装置は、ユーザの熟睡中の所定周期におけるいびき音の回数を記録する。一般に、電力供給ユニットは、電池であり、外部電源からの電線でもよい。
【００２２】
応用型睡眠記録装置は、いびき防止機構と接続される。応用型睡眠記録装置といびき防止機構との間には、電線が接続され、電線が電力供給ユニットとされる。即ち、いびき防止機構から睡眠記録装置が必要とする電力が供給される。また、応用型睡眠記録装置は、検出ユニットを有する必要がなく、いびき防止機構が有する音声センサにより、いびき音を検出することができる。
【００２３】
また、応用型睡眠記録装置は、以下（ａ）又は（ｂ）２種の使用モードを選択することができる。
【００２４】
（ａ）記録モード：睡眠記録装置は、基本機能を実行し、ユーザの熟睡中の所定周期におけるいびき音の回数を記録する。記録期間において、いびき防止機構は、如何なる動作も実行しない。
【００２５】
（ｂ）いびき防止モード：睡眠記録装置は、ユーザの熟睡中の所定周期において発生するいびき音の回数を記録する機能を実行する上、いびき音の回数が初期設定値に到達した場合、いびき防止機構を起動し、ユーザの頭部を側臥位に変更する。これにより、気道が確保され、いびきの発生が防止される。
【００２６】
以下、図面に基づき、本発明の一実施形態による睡眠記録装置の目的、構造及び特徴を詳細に説明する。
【００２７】
図１に示すように、基本型睡眠記録装置１０は、中空の筐体２０内に睡眠期間におけるいびきデータを記録する論理電子回路３０が配置される。
【００２８】
論理電子回路３０は、外部電源の電線を有する。電線は、電力供給ユニット３１として使用され、論理電子回路３０全体が必要とする電力を供給する。論理電子回路３０は、検出ユニット３２を有する。検出ユニット３２は、いびき音を検出する上、処理ユニット３３に信号を出力する。処理ユニット３３は、信号の送受信及び増幅を行う上、論理に基づき、所定周期におけるいびき音の回数を演算する。記録ユニット３４は、周期の時間及びいびき音の回数に関するデータを更新する。表示ユニット３５は、記録ユニット３４の時間及び回数に関するデータ結果を図案、データ又は図表の方式により表示する。
【００２９】
処理ユニット３３は、複数の押圧ボタンと接続される。複数の押圧ボタンの一部は、筐体２０の外部に露出し、論理電子回路３０の入力ユニット３６と見なすことができる。入力ユニット３６を介し、処理ユニット３３が演算を行う周期の長さと、いびき音を計測する回数と、が決定される。
【００３０】
図２に示すように、通電後の睡眠記録装置は、入力ユニットを介し、オンにするステップ４０が行われた後、初期設定値を調節するステップ４１に入る。この際、処理ユニットに対して設定値を更新するステップ４２が行われる。初期設定値を調整しない場合、本来の設定を保持するステップ４３が行われる。次に、睡眠期間における発生事項を記録する。
【００３１】
ここでの設定値とは、例えば、１時間内にいびき音の出現を１回許容するなど、所定時間内において出現が許容されるいびき音の回数である。許容回数を超えた場合、要警戒領域に入る。
【００３２】
検出ユニットがいびき音を検出するステップ４４を行った際、いびき音が検出されない場合、継続していびき音を検出するステップ４５が行われる。いびき音を検出した場合にのみ、信号を処理ユニットに出力し、信号の送受信及び増幅を行う上、論理に基づき、所定周期におけるいびき音の回数を演算し、前述の初期設定値と比較し、データを記録するステップ４６を行う。これと同時に、電源をオフにするステップ４８を行うまで、図案、データ又は図表の方式により、表示ユニットに、結果を表示するステップ４７を行う。また、結果を表示するステップ４７の内容は、入力ユニットを介して変更され、以前の睡眠データを表示したり、日時の調整などが行われる。
【００３３】
また、記録ユニット３４に保存されるデータは、ＵＳＢから基本型睡眠記録装置１０外部に出力され、コンピュータ又は記録装置に保存することができる。
【００３４】
本発明の睡眠記録装置は、上述の構造に基づき、以下に示す実施形態を実施することができる。図３に示すように、電力供給ユニット５１を介し、応用型睡眠記録装置５０をいびき防止機構６０と接続する。電力供給ユニット５１は、電線であり、いびき防止機構６０内部の電力制御システム６１と接続され、応用型睡眠記録装置５０が必要とする電力を供給する。また、いびき防止機構６０は、本来有する音声センサ６２を検出ユニットとして使用していびき音の検出を行い、応用型睡眠記録装置５０に信号を出力することができる。
【００３５】
図４に示すように、応用型睡眠記録装置５０は、いびき防止機構６０の側部に装着される。
【００３６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３７】
１０  基本型睡眠記録装置
２０  筐体
３０  論理電子回路
３１  電力供給ユニット
３２  検出ユニット
３３  処理ユニット
３４  記録ユニット
３５  表示ユニット
３６  入力ユニット
４０  オンにするステップ
４１  初期設定値を調節するステップ
４２  設定値を更新するステップ
４３  本来の設定を維持するステップ
４４  いびき音を検出するステップ
４５  継続していびき音を検出するステップ
４６  データを記録するステップ
４７  結果を表示するステップ
４８  オフにするステップ
５０  応用型睡眠記録装置
５１  電力供給ユニット
６０  いびき防止機構
６１  電力制御システム
６２  音声センサ
【図１】
2013255667.tif 000003
【図２】
2013255667.tif 000004
【図３】
2013255667.tif 000005
【図４】
2013255667.tif 000006